(57)【要約】【課題】携帯端末装置の使用者の相違に関わらず、使用者が着信を確実に感知することができる携帯端末装置及び携帯端末装置の制御方法を提供すること。【解決手段】本発明は、速度センサ５、バイブレータ９及び制御部１０を備える。速度センサ５は、外部から加わる力を検出する。バイブレータ９は、無線信号を受信した際に、無線信号の受信を振動により報知する。制御部１０は、外部から加わる力の時間間隔に応じて、無線信号を受信した際のバイブレータ９の振動を制御する。【選択図】図１
2011188202.tif 000002
【特許請求の範囲】
【請求項１】
外部から加わる力を検出するセンサと、
無線信号を受信した際に、前記無線信号の受信を振動により報知するバイブレータと、
前記外部から加わる力の時間間隔に応じて、前記無線信号を受信した際の前記バイブレータの振動を制御する制御部と、を備える、
携帯端末装置。
【請求項２】
前記制御部は、
前記センサにより検出される前記外部から加わる力の前記時間間隔の減少に応じて、前記バイブレータの振動量を大きくすることを特徴とする、
請求項１に記載の携帯端末装置。
【請求項３】
前記制御部は、
前記外部から加わる力の前記時間間隔の基準となる基準時間間隔を記憶し、
前記無線信号を受信する前に前記センサにより検出された時間間隔と前記基準時間間隔とを比較して、前記バイブレータの振動を制御することを特徴とする、
請求項１又は２に記載の携帯端末装置。
【請求項４】
前記制御部は、
前記無線信号を受信する前に前記センサにより検出された前記時間間隔が前記基準時間間隔よりも短い場合には、第１の振動量で前記バイブレータを振動させ、
前記無線信号を受信する前に前記センサにより検出された前記時間間隔が前記基準時間間隔よりも長い場合には、前記第１の振動量よりも小さい第２の振動量で前記バイブレータを振動させることを特徴とする、
請求項３に記載の携帯端末装置。
【請求項５】
前記制御部は、
前記外部から加わる力の時間間隔の履歴を記憶し、
前記履歴を所定の時間幅を有する階級ごとの度数分布に変換し、
最も度数が多い階級の下限値又は上限値を前記基準時間間隔として決定することを特徴とする、
請求項３又は４に記載の携帯端末装置。
【請求項６】
外部から加わる力を検出し、
無線信号の受信を振動により報知するに際し、前記外部から加わる力の時間間隔に応じて前記振動を制御する、
携帯端末装置の制御方法。
【請求項７】
前記バイブレータの振動量を、前記外部から加わる力の前記時間間隔の減少に応じて大きくすることを特徴とする、
請求項６に記載の携帯端末装置の制御方法。
【請求項８】
前記外部から加わる力の前記時間間隔の基準となる基準時間間隔を記憶し、
前記バイブレータの振動を、前記無線信号を受信する前に前記センサにより検出された時間間隔と前記基準時間間隔とを比較して制御することを特徴とする、
請求項６又は７に記載の携帯端末装置の制御方法。
【請求項９】
前記無線信号を受信する前に前記センサにより検出された前記時間間隔が前記基準時間間隔よりも短い場合には、前記バイブレータを、第１の振動量で振動させ、
前記無線信号を受信する前に前記センサにより検出された前記時間間隔前記基準時間間隔よりも長い場合には、前記バイブレータを、前記第１の振動量よりも小さい第２の振動量で振動させることを特徴とする、
請求項８に記載の携帯端末装置の制御方法。
【請求項１０】
前記外部から加わる力の時間間隔の履歴を記憶し、
前記履歴を所定の時間幅を有する階級ごとの度数分布に変換し、
最も度数が多い階級の下限値又は上限値を前記基準時間間隔として決定することを特徴とする、
請求項８又９に記載の携帯端末装置の制御方法。
【発明の詳細な説明】
【技術分野】
【０００１】
本発明は携帯端末装置及び携帯端末装置の制御方法に関し、特にバイブレーション機能を有する携帯端末装置及び携帯端末装置の制御方法に関する。
【背景技術】
【０００２】
一般に、携帯電話機、ＰＨＳ（Personal Handyphone System）、ＰＤＡ（Personal Data Assistance，Personal Digital Assistants：個人向け携帯型情報通信機器）等の携帯端末装置の多くは、着信音やバイブレータによって着信を感知することができる。これに伴って、使用者が容易に着信を感知できるように、着信音とバイブレータとの切り換えを行う手法が知られている（特許文献１及び２）。
【０００３】
一般に、バイブレータの振動量は、携帯端末装置の使用者の状況（移動時や静止時）にかかわらず一定である。そのため、例えば、使用者がマナーモードに設定されている携帯端末装置をポケットに入れて移動している場合などでは、バイブレータにより発生する振動が、外部から携帯端末装置自体に加わる振動に打ち消され、使用者が着信を感知できない場合（以下、感知漏れ）がある。感知漏れの対策として、バイブレータの振動量を、移動状況に応じて変化させる手法が提案されている（特許文献３及び４）。なお、ここでいうマナーモードとは、着信音の鳴動を禁止した状態で、バイブレータで発生する振動により、使用者に受信を報知するモードである。
【０００４】
特許文献３では、移動状態の場合と移動状態でない場合とを択一的に検出する携帯電子機器が提案されている。この携帯電子機器は、検出結果に応じて、バイブモータ（バイブレータ）の振動量を択一的に切り換える。
【０００５】
特許文献４では、使用者の移動などにより、外部から加わる振動を検出する無線機が提案されている。この無線機は、検出した振動量に比例して、振動体により発生させる振動量を変化させる。
【先行技術文献】
【特許文献】
【０００６】
【特許文献１】特開平８−３３１２１２号公報
【特許文献２】特開平１１−１３６３１８公報
【特許文献３】特開２００９−１３５６７５公報
【特許文献４】特開２００３−１８２４５公報
【発明の概要】
【発明が解決しようとする課題】
【０００７】
特許文献３に開示された携帯電子機器では、移動状態の場合と移動状態でない場合とだけを検出する。よって、使用者が低速で移動している場合（例えば、使用者がゆっくり歩いている場合）に、使用者が不快感なく着信を感知できるようにバイブモータの振動量を調整すると、使用者が高速で移動している場合（例えば、使用者が走っている場合）には、感知漏れが発生する。また、高速で移動する場合に合わせてバイブモータの振動量を調整すると、低速で移動する場合には、バイブモータの振動量が過剰となり、使用者に不快感を与えてしまう。
【０００８】
また、特許文献４に開示された無線機では、外部から無線機に加わる振動の大きさのみで、使用者の移動状況を判断している。そのため、使用者の相違に起因する感知漏れを防ぐことができない。例えば、人が走る場合を考慮すると、成人男性は、成人女性や幼児などと比べて、一般的に高速で走る。この場合、外部から無線機に加わる振動の大きさのみで使用者の移動状況を判断すると、男性が走っている場合のバイブレータで発生する振動の大きさ、例えば８（１０段階中）となる。一方、女性が走っている場合のバイブレータの振動の大きさは、例えば４（１０段階中）となる。このため、使用者が女性である場合には、感知漏れが発生する確率が高くなる。すなわち、外部から無線機に加わる振動の大きさのみでは、使用者の性別や年齢などの相違による感知漏れを有効に防ぐことができない。
【０００９】
本発明は、上記に鑑みて為されたものであり、本発明の目的は、携帯端末装置の使用者の相違に関わらず、使用者が着信を確実に感知することができる携帯端末装置及び携帯端末装置の制御方法を提供することにある。
【課題を解決するための手段】
【００１０】
本発明の一態様である携帯端末装置は、外部から加わる力を検出するセンサと、無線信号を受信した際に、前記無線信号の受信を振動により報知するバイブレータと、前記外部から加わる力の時間間隔に応じて、前記無線信号を受信した際の前記バイブレータの振動を制御する制御部と、を備えるものである。
【００１１】
本発明の一態様である携帯端末装置の制御方法は、外部から加わる力を検出し、無線信号の受信を振動により報知するに際し、前記外部から加わる力の時間間隔に応じて前記振動を制御するものである。
【発明の効果】
【００１２】
本発明によれば、携帯端末装置の使用者の相違に関わらず、使用者が着信を確実に感知することができる携帯端末装置及び携帯端末装置の制御方法を提供することができる。
【図面の簡単な説明】
【００１３】
【図１】実施の形態１にかかる携帯端末装置１００の構成を示すブロック図である。
【図２】携帯端末装置１００に外部から力が加わる状況において検出される振動検出間時間のヒストグラムである。
【図３】携帯端末装置１００における基準振動検出間時間帯Ａの決定方法を示すフローチャートである。
【図４】携帯端末装置１００の動作を示すフローチャートである。
【図５】速度センサ５で検出される振動とバイブレータ９の回転パターンとの関係を示す表である。
【発明を実施するための形態】
【００１４】
実施の形態１
以下、図面を参照して本発明の実施の形態について説明する。実施の形態１にかかる携帯端末装置１００は、着信時にバイブレータを駆動することにより、着信を通知する機能を有する。図１は、本発明の実施の形態１にかかる携帯端末装置１００の構成を示すブロック図である。携帯端末装置１００は、図１に示すように、少なくともアンテナ１、受信回路２、送信回路３、速度センサ５、バイブレータ９及び制御部１０により構成される。
【００１５】
速度センサ５は、外部から加わった力（振動）を検出して、加速度を算出する。つまり、外部から加わった振動の有無を検出することができる。そして、検出結果を制御部１０へ出力する。
【００１６】
制御部１０は、ＣＰＵ（Central Processing Unit：中央処理装置）４、ＲＯＭ（Read Only Memory）６、バイブレータ用メモリ７及び駆動回路８により構成される。ＣＰＵ４は、受信回路２を介して、アンテナ１で受信した信号を処理する。また、ＣＰＵ４は、送信回路３を介して、出力した信号をアンテナ１から送信する。さらに、ＣＰＵ４は、速度センサ５、ＲＯＭ６、バイブレータ用メモリ７及び駆動回路８と接続される。
【００１７】
ＲＯＭ６は、バイブレータ９の回転パターンが複数書き込まれているリード・オンリ・メモリである。ここでいう回転パターンとは、ある振動量を有する振動をバイブレータ９において発生させるため用いられる、バイブレータ９の振動の振幅及び周波数の設定のことをいう。ＲＯＭ６は、他にも、ＣＰＵ４で実行される各種の制御用プログラムや、かな文字変換等に使用される辞書等の固定的なデータを格納することができる。
【００１８】
バイブレータ用メモリ７は、ＲＡＭ（ランダム・アクセス・メモリ）によって構成され、携帯端末装置１００の使用者により設定されたバイブレータ９のＯＮ／ＯＦＦ設定と、後述する基準振動検出間時間帯Ａが格納される。また、バイブレータ用メモリ７には、ＣＰＵ４がプログラムを実行するために一時的に必要とするデータなどを格納することができる。
【００１９】
駆動回路８は、バイブレータ９と接続され、ＣＰＵ４からの指示に応じて、バイブレータ９を任意の周波数又は振幅で駆動する。よって、駆動回路８は、ＣＰＵ４から与えられた周波数帯指令値、出力電圧指令値又はＰＷＭ制御のターンオン時間・ターンオフ時間指令値に基づいてバイブレータ９を駆動し、任意の振動を発生させることができる。
【００２０】
バイブレータ９は、モータが回転することにより振動を発生させる。このバイブレータ９における振幅又は周波数を変化させることにより、振動量を変化させることが可能である。
【００２１】
次に、バイブレータ用メモリ７に格納されている基準振動検出間時間帯Ａについて説明する。ここで、振動検出間時間とは、速度センサ５が或る時点で振動を検出してから、次の振動を検出するまでに経過した時間の間隔（以下、時間間隔）を示す。この携帯端末装置１００は、外部から携帯端末装置１００に加わる力（振動）に基づいて、基準振動検出間時間帯Ａを決定する。
【００２２】
図２は、通常の使用環境において携帯端末装置１００により検出される振動検出間時間のヒストグラムである。携帯端末装置１００は、速度センサ５により、常に携帯端末装置１００に加わる力（振動）の振動検出間時間（時間間隔）を算出する。算出された振動検出間時間（時間間隔）の情報は、ヒストグラム情報（度数分布情報）としてバイブレータ用メモリ７に蓄積される。図２に示すヒストグラムは、０．２秒幅の階級により区分された検出回数の度数分布である。携帯端末装置１００では、最も検出回数が多い階級を、基準振動検出間時間帯Ａとして決定する。図２においては、振動検出間時間（時間間隔）が０．４〜０．６秒の階級が最も検出回数が多い。したがって、この階級を基準振動検出間時間帯Ａとして決定する。これにより、携帯端末装置１００は、通常振動レベルが設定される。
【００２３】
続いて、基準振動検出間時間帯Ａの決定方法について説明する。図３は、携帯端末装置１００における基準振動検出間時間帯Ａの決定方法を示すフローチャートである。図３に示すように、携帯端末装置１００は、電源がＯＮの場合には、速度センサ５によって、常に携帯端末装置１００に加わる力（振動）を検出している（ステップＳ１１）。
【００２４】
次いで、ＣＰＵ４は、速度センサ５における振動の検出に基づいて、振動検出間時間（時間間隔）を算出する。ＣＰＵ４は、算出した振動検出間時間（時間間隔）が、図２に示すヒストグラムのいずれの階級に属するべきかを判断する。そして、ＣＰＵ４は、バイブレータ用メモリ７に格納されている、属するべき階級の検出回数をカウントアップする（ステップＳ１２）。
【００２５】
次いで、ＣＰＵ４は、バイブレータ用メモリ７に格納されている検出回数が最も多い階級を、基準振動検出間時間帯Ａとして決定する（ステップＳ１３）。
【００２６】
次に、携帯端末装置１００の動作について説明する。図４は、携帯端末装置１００の動作を示すフローチャートである。携帯端末装置１００は、電源がＯＮの場合には、常に着信の有無を確認している（ステップＳ１）。
【００２７】
着信を検出した場合には、ＣＰＵ４は、バイブレータ用メモリ７に格納されているバイブレータ９のＯＮ／ＯＦＦ設定を読み込む（ステップＳ２）。ここで、バイブレータ９のＯＮ／ＯＦＦ設定が「ＯＦＦ」の場合は、処理を終了する。
【００２８】
バイブレータ９のＯＮ／ＯＦＦ設定が「ＯＮ」の場合には、ＣＰＵ４は、速度センサ５における振動の検出の有無を判断する（ステップＳ３）。速度センサ５において振動が検出されている場合には、ＣＰＵ４は最新の振動検出間時間Ｂを算出する。
【００２９】
速度センサ５において振動が検出された場合には、ＣＰＵ４は、基準振動検出間時間帯Ａをバイブレータ用メモリ７から読み込む。そして、ＣＰＵ４は、基準振動検出間時間帯Ａと最新の振動検出間時間Ｂとを比較する（ステップＳ４）。
【００３０】
最新の振動検出間時間Ｂが、基準振動検出間時間帯Ａよりも短い振動検出間時間に対応する階級（図２の線Ｄよりも左側の階級）に属する場合には、ＣＰＵ４は、例えばＲＯＭ７に格納された回転パターンαを読み込む。ここで、回転パターンαは、バイブレータ９に大きな振動を発生させる回転パターンである。そして、駆動回路８を介して、バイブレータ９を回転パターンαで駆動する（ステップＳ５）。
【００３１】
一方、最新の振動検出間時間Ｂが、基準振動検出間時間帯Ａと同じ階級に属するか、基準振動検出間時間帯Ａよりも長い振動検出間時間（時間間隔）に対応する階級（図２の線Ｄよりも右側の階級）に属する場合には、ＣＰＵ４は、例えばＲＯＭ７に格納された回転パターンβを読み込む。ここで、回転パターンβは、バイブレータ９に中程度の大きさの振動を発生させる回転パターンである。そして、駆動回路８を介して、バイブレータ９を回転パターンβで駆動する（ステップＳ６）。
【００３２】
なお、ステップＳ３において、速度センサ５における力（振動）の検出が無い場合には、ＣＰＵ４は、例えばＲＯＭ７に格納された回転パターンγを読み込む。ここで、回転パターンγは、バイブレータ９に小さな振動を発生させる回転パターンである。そして、駆動回路８を介して、バイブレータ９を回転パターンγで駆動する（ステップＳ７）。
【００３３】
図５は、速度センサ５で検出される振動とバイブレータ９の回転パターンとの関係を示す表である。図４に示したフローチャートの処理に基づき、バイブレータ９は回転パターンα、β又はγで回転する。各回転パターンの振動量は、α＞β＞γである。
【００３４】
すなわち、本構成では、基準振動検出間時間帯Ａの下限を基準となる時間間隔（以下、基準時間間隔）としている。この基準時間間隔を境界として、バイブレータ９の振動量を変化させている。
【００３５】
よって、本構成では、使用者の状況を携帯端末装置１００に加わる振動として検出し、それぞれの振動間の時間間隔を評価する。これにより、使用者の相違に関わらず、状況に合わせた着信時のバイブレータの振動量選択が可能となる。従って、本構成によれば、使用者が移動することで生じる振動により着信時のバイブレータの振動が打ち消される問題を解決することができる。
【００３６】
また、移動状況に応じて振動量を調整するため、バイブレータが過大に振動することを防止できる。従って、使用者が不快感なく着信を感知することができるので、使用感の改善が見込まれる。
【００３７】
さらに、本発明は、車や電車などの乗り物に搭乗し、使用者自身が動かない状況下においても有効である。例えば、使用者が搭乗している電車や車の動揺が、使用者が揺れを感じない程度である場合は、一定量大きくした回転パターンで携帯端末装置１００が振動することにより、使用者は着信を感知することが可能である。一方、使用者が搭乗している電車や車の動揺が、使用者が揺れを感じる程度に大きく、使用者が携帯する携帯端末装置１００に振動が加わる場合には、最大の振動量の回転パターンで携帯端末装置１００が振動することにより、使用者は着信を感知することが可能である。
【００３８】
さらにまた、例えば携帯端末装置が机などの硬い物の上に置かれて静止しており、携帯端末装置が振動を検出しない場合には、バイブレータが過大に振動することを防ぐことができる。従って、バイブレータの振動により生じる音が過剰に響き、周囲の人々に迷惑をかけることもない。
【００３９】
その他の実施の形態
なお、本発明は上記実施の形態に限られたものではなく、趣旨を逸脱しない範囲で適宜変更することが可能である。例えば、具体的には、最新の振動検出間時間Ｂ≦基準振動検出間時間帯Ａの場合に回転パターンαでバイブレータ９を振動させ、最新の振動検出間時間Ｂ＞基準振動検出間時間帯Ａの場合に回転パターンαでバイブレータ９を振動させてもよい。
【００４０】
また、回転パターンをより細分化することも可能である。具体的には、例えば、最新の振動検出間時間Ｂが基準振動検出間時間帯Ａに含まれる場合には、基準回転パターンでバイブレータ９を振動させることができる。そして、最新の振動検出間時間Ｂが基準振動検出間時間帯Ａよりも短い場合には、基準回転パターンよりも振動量の多い基準回転パターンでバイブレータ９を振動させることができる。また、最新の振動検出間時間Ｂが基準振動検出間時間帯Ａよりも短い場合には、基準回転パターンよりも振動量の多い基準回転パターンでバイブレータ９を振動させることができる。
【００４１】
前記したバイブレータの回転パターンα〜γは、例えば使用者が設定してもよい。また、使用者は静止時におけるバイブレータの振動量設定だけを携帯端末装置で行ってもよい。これにより、設定した振動量に基づいて、移動時の振動量を大きくすることができる。更に、使用者が通常の移動速度におけるバイブレータの振動量を設定してもよい。設定した振動量に基づいて、静止時における振動量を小さくし、高速移動時の振動量を大きく又は最大にすることができる。更にまた、静止時、通常移動時及び高速移動時におけるそれぞれのバイブレータの振動量を、使用者が設定してもよい。
【００４２】
バイブレータの振動量は、回転パターンに区分して制御することには限られない。例えば、最新の振動検出間時間Ｂに応じて、バイブレータの振動量を連続的に変化させてもよい。
【００４３】
上述の実施の形態において移動状況から静止状況に状況が変化し、再度移動状況に変化した場合について検討する。この場合、２つの移動状況の間の時間は、振動検出間時間（時間間隔）がＡより長くなってしまう。そのため、振動とは関係の無い、大きな振動検出間時間（時間間隔）が検出される。そこで、バイブレータ用メモリ７に任意に設定可能な値（例えば値Ｃ）を設定する。振動検出間時間（時間間隔）が値Ｃ以上であれば、バイブレータ用メモリ７に記録された直前の振動検出の有無データを消去してもよい。これにより、より正確に移動状況を把握することができる。
【００４４】
上述の実施の形態では、振動検出間時間（時間間隔）を用いて移動状況を判断する。これに対し、移動速度を用いて移動状況を判断してもよい。例えば、速度センサで検出した加速度を積算することで、使用者の移動速度を算出することが可能である。例えば、移動速度を、５ｍ／ｍｉｎ幅で区分された階級ごとの検出回数分布として取り扱うことにより、通常の移動速度帯を決定することが可能である。これにより、振動検出間時間（時間間隔）を用いる場合と同様に、バイブレータの回転パターンを変化させることができる。
【００４５】
上述の実施の形態では、バイブレータを１つ使用しているが、バイブレータは複数使用してもよい。この場合、複数のバイブレータを並列に、又は独立に駆動させることで、バイブレータの振動量を、大きく又は小さくすることができる。
【００４６】
上述の実施の形態では、基準振動検出間時間帯Ａ（又は移動速度帯）をバイブレータ用メモリ７に格納された検出回数により決定したが、基準動検出間時間（移動速度）を、予め設定された設定値から使用者が選択してもよい。例えば、基準振動検出間時間（移動速度）を、男性年配者用、男性大人用、男性子供用、女性年配者用、女性大人用及び女性子供用の各設定値から選択することができる。
【００４７】
上述の実施の形態では、使用者が静止している場合、通常移動時未満の速さで移動している場合、通常移動時以上の速さで移動している場合の３つに区分したが、より詳細に区分して、それぞれの区分に応じてバイブレータの振動量を変えてもよい。
【００４８】
また、上述の実施の形態は、マナーモード設定時に限られることはなく、着信音を出している場合でも、同様にバイブレータの振動を変化させることができる。
【００４９】
上述の実施の形態では携帯端末装置について説明したが、この携帯端末装置には、例えば携帯電話、ＰＨＳなどの携帯端末装置が含まれる。
【００５０】
更に、上述の実施の形態における速度センサは、加速度センサや角速度センサなどの、使用者の移動状況を判断することができる、他のセンサに適宜置き換えることが可能である。
【符号の説明】
【００５１】
１  アンテナ
２  受信回路
３  送信回路
４  ＣＰＵ
５  速度センサ
６  ＲＯＭ
７  バイブレータ用メモリ
８  駆動回路
９  バイブレータ
１０  制御部
１００  携帯端末装置
Ｓ１〜７、Ｓ１１〜１３  ステップ
【図１】
2011188202.tif 000003
【図２】
2011188202.tif 000004
【図３】
2011188202.tif 000005
【図４】
2011188202.tif 000006
【図５】
2011188202.tif 000007